(57)【要約】      （修正有）【課題】建物の耐震構造の中で、簡易な耐震構造としての、補強柱と樋の構造を提供する。【解決手段】建物Ｈの周辺に補強柱１０、又は柱２を複数本備えている建物Ｈで、建物Ｈの軒先５００に雨水用の軒樋２１を設け、軒樋２１に繋がる縦樋２０を、補強柱１０、又は柱２に付設、又は内設し、縦樋２０の排出口２０ｂを、補強柱１０に開口し、補強柱１０と建物Ｈの縦柱とを止め具で緊締する。【選択図】図１
0003222622.tif 000002
【実用新案登録請求の範囲】
【請求項１】
建物の周辺に補強柱、又は柱を複数本備えている建物において、
前記建物の軒先に雨水用の軒樋を設け、
この軒樋に繋がる、排出口を供えた縦樋を、前記補強柱、又は柱に付設、又は内設し、
前記補強柱、又は前記柱、或いは前記縦樋を止め具で緊締することを特徴とした補強柱と樋の構造。
【請求項２】
前記補強柱、前記柱、及び／又は、前記建物の梁、前記建物の土台の何れか一つと、前記縦樋、又は前記軒樋の何れかの適所を、パンチングボード止め具、又はチャンネルボード止め具の何れかの止め具で緊締する構成とした請求項１に記載の補強柱と樋の構造。
【請求項３】
前記補強柱、及び／又は前記柱、及び／又は前記建物の梁、及び／又は前記建物の土台を、筋交いで繋ぐ構成とした請求項１又は請求項２に記載の補強柱と樋の構造。
【請求項４】
前記止め具、又は前記筋交いは、一階か、又は二階の何れかに取付ける構成とした請求項２、又は請求項３に記載の補強柱と樋の構造。
【請求項５】
前記補強柱に内設した前記縦樋は、この補強柱に嵌合する構成とした請求項１に記載の補強柱と樋の構造。
【請求項６】
前記止め具は、前記補強柱、及び／又は前記柱、及び／又は前記梁、及び／又は前記土台と、前記縦樋との離間を防止可能とした請求項２、又は請求項３に記載の補強柱と樋の構造。
【考案の詳細な説明】
【技術分野】
【０００１】
本考案は、補強柱と樋の構造に関する。
【背景技術】
【０００２】
建物（建屋、工場、ハウス、又はその他の構造物等を含む建造物）の耐震構造の中で、この建物の、主として、外側(外部)に構築（建造）した補強柱に関する考えが、簡易な耐震構造として考えられている。
【０００３】
この考えに基づく、先行文献を挙げてみると、例えば、特開昭６２−４１８３８号公報において、玄関屋根本体を支える補強柱と、建物本体の外壁面の間に設けた縦樋と、前記縦樋は袖壁パネルに付設支持する構造が開示されているが、縦樋を補強柱に内設するとの考えは、示唆されていない。また、袖壁パネルと建物本体の組み合わせを利用する縦樋に設置である。また、特開２００４−３００９１０号公報には、補強柱として機能し、かつ避難用の中空柱構造が開示されている。更に特開２００３−６４８９７号公報には、躯体(カーポート)に補強柱を付設する構造が開示されている。
【０００４】
【特許文献１】特開昭６２−４１８３８号公報
【特許文献２】特開２００４−３００９１０号公報
【特許文献３】特開２００３−６４８９７号公報
【考案の概要】
【考案が解決しようとする課題】
【０００５】
文献(１)−(３)に関しては、建物の躯体に付設する補強柱に関する文献をそれぞれ列挙し、躯体補強用として補強柱の役割を説明した。しかしながら、縦樋との関係を示した文献は、直接的には、見当たらなかった。
【０００６】
上記に鑑み、本発明は、補強柱と縦樋の総括的で、有意義な組み合わせに基づく構成と、この構成に基づく効果等を、順次、説明する。
【課題を解決するための手段】
【０００７】
躯体補強用としての補強柱と、この補強柱を利用した縦樋の付設（立設）構造の提案であり、請求項１−６に示した構成の提供である。
【考案の効果】
【０００８】
先ず、請求項１の考案は、建物の周辺に補強柱、又は柱を複数本備えている建物において、
建物の軒先に雨水用の軒樋を設け、
軒樋に繋がる、排出口を供えた縦樋を、補強柱、又は柱に付設、又は内設し、
補強柱、又は柱、或いは縦樋を止め具で緊締することを特徴とした補強柱と樋の構造であって、
この建物、及び／又は、躯体補強用(以下、躯体補強用とする)としての補強柱と、この補強柱を利用した、最適な、一例であって、縦樋の付設（立設）構造の提案が可能となる。
【０００９】
請求項２の考案は、補強柱、柱、及び／又は、建物の梁、建物の土台の何れか一つと、縦樋、又は軒樋の何れかの適所を、パンチングボード止め具、又はチャンネルボード止め具の何れかの止め具で緊締する構成とした補強柱と樋の構造であって、
この躯体補強用としての補強柱と、この補強柱を利用した、最適な縦樋の付設構造の提案、併せて補強柱と縦樋の最適な付設構造の提案が可能となる。
【００１０】
請求項３の考案は、補強柱、及び／又は柱、及び／又は建物の梁、及び／又は建物の土台を、筋交いで繋ぐ構成とした補強柱と樋の構造であって、
この躯体補強用としての補強柱と、この補強柱を利用した、最適な縦樋の付設構造の提案、併せて補強柱と縦樋の他の最適な付設構造の提案が可能となる。
【００１１】
請求項４の考案は、止め具、又は筋交いは、一階か、又は二階の何れかに取付ける構成とした請求項２、又は請求項３に記載の補強柱と樋の構造であって、
この躯体補強用としての補強柱と、この補強柱を利用した、最適な縦樋の付設構造の提案、併せて補強柱と縦樋の緊締を図る構造の提供とが図れる。
【００１２】
請求項５の考案は、補強柱に内設した縦樋は、補強柱に嵌合する構成とした補強柱と樋の構造であって、
この躯体補強用としての補強柱と、この補強柱を利用した、最適な縦樋の付設構造の提案が可能となる。
【００１３】
請求項６の考案は、止め具は、補強柱、及び／又は柱、及び又は梁、及び／又は土台と、縦樋との離間を防止可能とした補強柱と樋の構造であって、
この躯体補強用としての補強柱と、この補強柱を利用した、最適な縦樋の付設構造の提案が可能となる。
【図面の簡単な説明】
【００１４】
【図１】本考案の一例であって、建物（この一例では、躯体）の外側（この一例では、外壁）に補強柱を付設し、この補強柱に縦樋を設けた（内設）した形態（最適な付設構造の提案が可能となる）の一部省略・欠截の斜視図
【図１−１】図１の要部の一部省略の拡大俯瞰図
【図２】図１の一部省略の断面図
【図３】建物の躯体（基礎、基礎ぐい、壁、柱、小屋組、土台、斜材(筋交い等)、床版、屋根版又は横架材(梁等)などで、この図で略示した）の一例である、土台とか、柱、及び／又は、補強柱と縦樋、筋交い等の緊締等の関係を示した要部の一部省略の拡大断面図
【図４】本考案の他の一例であって、建物の外側に補強柱を付設し、この補強柱に縦樋を設けた（外設した）形態の一部省略の側面図
【図４−１】本考案の補強柱、柱、及び縦樋の連結状態の一例を表す概念図
【図５】本考案のさらに他の一例であって、建物の躯体の柱に縦樋を設けた（外設した）形態の一部省略の側面図
【図６】図５の他の例の俯瞰図
【図７】止め具の一例であるパンチングボード止め具を、分解して示した要部の拡大斜視図
【考案を実施するための形態】
【００１５】
本考案の好ましい、一例（各実施例）を説明する。
【００１６】
各図において、建物Ｈにおける躯体Ｈ１の一例を示すと、躯体Ｈ１は、例えば、土台１と柱２、梁３とか、外壁４、屋根５及び／又は軒先５００等を備えている。
【００１７】
この建物Ｈにおいて、そのＨ２は屋内（室内）を、Ｈ３は屋外（室外）を示している。
【００１８】
図１、図１−１〜図３の一例と、図４に示した他の一例では、柱２に併設して、例えば、鋼製でなる補強柱１０が設けられる。この補強柱１０は、図１−１に示した要部の拡大俯瞰図において、方形端面１０００を備え、かつ外壁４に設けた第１・第２チャンネル鋼４００、４０１に固定されている。このような構造であることから、例えば、耐震機能を備え、かつ柱２と躯体Ｈ１の補強効果を遺憾なく達成できる。又は構造的にも最適な仕組みを提供できる。補強柱１０は建物Ｈとか、躯体Ｈ１等を地震から護るためであり、建物Ｈとか、躯体Ｈ１等の内外に、複数本立設、又は囲繞するように立設されている。一体形態が理想であるが、図示しない金具で連繋されることも有り得る。補強柱１０は、柱２と同色、同柄等の如く、相似形態等も有り得る。
【００１９】
そして、補強柱１０と柱２は、例えば、図７に示したパンチングボード止め具１１００、又はチャンネルボード止め具（図示しない）の何れかの止め具１１で緊締する。その好ましい、緊締方法は、図４に示した他の一例において、詳細に説明すると（一例とか、さらに他の一例においても同じ考えである）、（Ａ−Ａ）は、土台１と補強柱１０を止め具１１で緊締する例であり、（Ｂ−Ｂ）は、建物Ｈの一階（符号なし）の下方と補強柱１０を止め具１１で緊締する例であり、また、（Ｃ−Ｃ）は、建物Ｈの一階の上方と補強柱１０を止め具１１で緊締する例であり、さらに（Ｄ−Ｄ）は、建物Ｈの二階の下方（図示しないが上方）と補強柱１０を止め具１１で緊締する例、等が考えられる。そして、パンチングボード止め具１１００は、筋交い力で柱２の一方が持ち上り、他の一方が下がる力を、引き付けあう力を有することで、柱２から、例えば、梁３が離れることを防止できると考えられる。この考え方は、パンチングボード止め具１１００を使用する、前記の各（Ａ−Ａ）の土台１と補強柱１０の関係とか、（Ｂ−Ｂの建物Ｈの一階の下方と補強柱１０の関係、又は（Ｃ−Ｃ）の建物Ｈの一階の上方と補強柱１０の関係、並びに（Ｄ−Ｄ）の建物Ｈの二階の下方と補強柱１０の関係においても、相通じるものである。
【００２０】
図中２０は縦樋であり、この縦樋２０は軒先５００に設けた軒樋２１(横樋)に繋がる。この縦樋２０は、図１〜図２、図５の例では、補強柱１０に内設された一例であり、嵌合状態を確保し、かつ補強柱１０を補強できることが望ましい。好ましい、一例であり、限定されない（以下同じ）。また、補強柱１０に遊嵌するように内設することも可能であり、更には補強手段で補強柱１０に固定することも有り得る。また、図４の例では、補強柱１０の外側、図示しないが、その他の周辺側に縦樋２０を、パンチングボード止め具１１００で緊締した各例であり、好ましい、一例である。図中２０ａは受入れ口、２０ｂは排出口を示す。尚、図２の如く、縦樋２０が補強柱１０を兼ねることも有り得る。特徴は、材料の省略化と低コスト化、又は構造の簡略化とか、作業の容易化等が考えられる。
【００２１】
また、図５と図６は、前述した各一例とは、全く別の例（さらに他の一例）であり、縦樋２０の低コスト化を図る目的であり、例えば、エアコンの配管パイプ、ダクト等カバー用の管体(配管、樋管、被管)を利用する構造であり、例えば、縦樋２０は、柱２にパンチングボード止め具１１００を利用して取付ける(設ける)。尚、図示しないか、補強柱１０に縦樋２０を取付けることも有り得る。また縦樋２０がプラスチック構造では、補強材としてステンレス板２２を添設支持することも有り得る。しかし、補強材は、縦樋２０の強度が確保される構造では必要としない。図中２３は桁である。尚、図示しないが、軒樋２１を、エアコンのカバー用の管体を利用することも有り得る。
【００２２】
図７は、パンチングボード止め具１１００の一例であり、螺杆を備えたパンチングボード止め具本体１１００ａと、ここに螺嵌されるナット１１００ｂ、ブッシュ１１００ｃ、又はパッキン１１００ｄ等を備えており、この例では、外壁４、又は柱２とか、縦樋２０を適宜間隔で緊締する。また、ナット１１００ｂ、ブッシュ１１００ｃ、又はパッキン１１００ｄ等を利用して、前記間隔調整とか、躯体Ｈ１の外郭とか、建物Ｈ等の全体の厚み、断熱効果等を図る。
【００２３】
以上で説明した各構造・特徴等は、本考案の好ましい一例の説明である。従って、本考案は上述した各一例に限定されるものではなく、考案の趣旨の範囲において構成の一部を変更する構造とか、同じ特徴と効果を達成できる構造、等は、本考案の範疇である。
【符号の説明】
【００２４】
１  土台
２  柱
３  梁
４  外壁
４００  第１チャンネル鋼
４０１  第２チャンネル鋼
５  屋根
５００  軒先
１０  補強柱
１０００  方形端面
１１  止め具
１１００  パンチングボード止め具
１１００ａ  パンチングボード止め具本体
１１００ｂ  ナット
１１００ｃ  ブッシュ
１１００ｄ  パッキン
１１００ｅ  カバー
２０  縦樋
２０ａ  受入れ口
２０ｂ  排出口
２１  軒樋
２２  ステンレス板
２３  桁
Ｈ  建物
Ｈ１  躯体
Ｈ２  屋内
Ｈ３  屋外
【図１】
0003222622.tif 000003
【図１−１】
0003222622.tif 000004
【図２】
0003222622.tif 000005
【図３】
0003222622.tif 000006
【図４】
0003222622.tif 000007
【図４−１】
0003222622.tif 000008
【図５】
0003222622.tif 000009
【図６】
0003222622.tif 000010
【図７】
0003222622.tif 000011
【手続補正書】
【提出日】令和1年6月11日(2019.6.11)
【手続補正１】
【補正対象書類名】実用新案登録請求の範囲
【補正対象項目名】全文
【補正方法】変更
【補正の内容】
【実用新案登録請求の範囲】
【請求項１】
建物の周辺に補強柱、又は柱を複数本備えている建物において、
前記建物の軒先に雨水用の軒樋を設け、
この軒樋に繋がる、排出口を供えた縦樋を、前記補強柱、又は柱に付設、又は内設し、
前記補強柱、前記柱、前記建物の梁、前記建物の土台の何れか一つと、前記縦樋、又は前記軒樋の何れかの適所を止め具で緊締することを特徴とした補強柱と樋の構造。
【請求項２】
前記止め具は、パンチングボード止め具、又はチャンネルボード止め具の何れかとする構成とした請求項１に記載の補強柱と樋の構造。
【請求項３】
前記補強柱、及び／又は前記柱と、前記梁を、筋交いで繋ぐ、及び／又は、前記補強柱、及び／又は前記柱と、前記土台を、筋交いで繋ぐ構成とした請求項１に記載の補強柱と樋の構造。
【請求項４】
前記止め具、又は前記筋交いは、一階か、又は二階の何れかに取付ける構成とした請求項２、又は請求項３に記載の補強柱と樋の構造。
【請求項５】
前記補強柱に内設した前記縦樋は、この補強柱に嵌合する構成とした請求項１に記載の補強柱と樋の構造。
【請求項６】
前記止め具は、前記補強柱、及び／又は前記柱、及び／又は前記梁、及び／又は前記土台と、前記縦樋との離間を防止可能とした請求項２、又は請求項３に記載の補強柱と樋の構造。
【手続補正２】
【補正対象書類名】明細書
【補正対象項目名】０００８
【補正方法】変更
【補正の内容】
【０００８】
先ず、請求項１の考案は、建物の周辺に補強柱、又は柱を複数本備えている建物において、
建物の軒先に雨水用の軒樋を設け、
軒樋に繋がる、排出口を供えた縦樋を、補強柱、又は柱に付設、又は内設し、
補強柱、柱、建物の梁、建物の土台の何れか一つと、縦樋、又は軒樋の何れかの適所を止め具で緊締することを特徴とした補強柱と樋の構造であって、
この建物、及び／又は、躯体補強用(以下、躯体補強用とする)としての補強柱と、この補強柱を利用した、最適な、一例であって、縦樋の付設（立設）構造の提案が可能となる。
【手続補正３】
【補正対象書類名】明細書
【補正対象項目名】０００９
【補正方法】変更
【補正の内容】
【０００９】
請求項２の考案は、止め具は、パンチングボード止め具、又はチャンネルボード止め具の何れかとする構成とした補強柱と樋の構造であって、
この躯体補強用としての補強柱と、この補強柱を利用した、最適な縦樋の付設構造の提案、併せて補強柱と縦樋の最適な付設構造の提案が可能となる。
【手続補正４】
【補正対象書類名】明細書
【補正対象項目名】００１０
【補正方法】変更
【補正の内容】
【００１０】
請求項３の考案は、補強柱、及び／又は柱と、梁を、筋交いで繋ぐ、及び／又は、補強柱、及び／又は柱と、土台を、筋交いで繋ぐ構成とした補強柱と樋の構造であって、
この躯体補強用としての補強柱と、この補強柱を利用した、最適な縦樋の付設構造の提案、併せて補強柱と縦樋の他の最適な付設構造の提案が可能となる。